(57)【要約】【課題】従来型のデジタル一眼レフカメラにおいて、リモートコントロール装置と通信を行いながらの撮影時に、リモートコントロール装置上で画像確認のための表示を可能にする。【解決手段】撮影光束をファインダ方向に反射させると共に、撮影時には撮影光束より退避するミラー手段と、撮影時に撮影光束が到達する撮像手段の露光時間を制御するシャッタ手段とを有する撮像装置を備えたリモートシステムにおいて、画像表示指示手段によって被写体像の表示が指示されたときに、ミラー手段を撮影光束から退避すると共に、シャッタ手段を開放させて撮影光束を撮像手段に導くとともに、撮像手段に結像された被写体像を連続的に取り込み、その取り込んだ画像をリモートコントロール装置に転送し、撮像装置から転送された画像をリモートコントロール装置の表示手段に順次表示する。【選択図】        図３
2004194256.tif 000002
【特許請求の範囲】
【請求項１】
撮影光束をファインダ方向に反射させると共に、撮影時には撮影光束より退避するミラー手段と、撮影時に撮影光束が到達する撮像手段の露光時間を制御するシャッタ手段とを備えた撮像装置において、
画像転送指示時に、前記ミラー手段を撮影光束から退避すると共に、前記シャッタ手段を開放させて撮影光束を前記撮像手段に導き、該撮像手段に結像された被写体像を連続的に取り込む手段と、
前記連続的に取り込んだ画像を外部のコントロール装置に転送する手段とを備えたことを特徴とする撮像装置。
【発明の詳細な説明】
【０００１】
【発明の属する技術分野】
本発明は、一眼レフタイプのデジタルカメラ等の撮像装置に関する。
【０００２】
【従来の技術】
従来、一般的な構成のデジタルカメラは、例えば、デジタルカメラから画像信号を発信させ、この画像信号を受信したリモートコントローラが画像表示するようにしたものが提案されている（例えば、特許文献１参照）。
【０００３】
また、デジタルカメラをコンピュータに接続し、デジタルカメラから撮影前の画像データをコンピュータに送信する送信手段を備え、コンピュータは、送信されてきた撮影前の画像データを受信し、受信した画像データをデジタルカメラの撮影画素数に応じた画像として表示可能な表示手段を備えて、実際の撮影サイズで画像を認識することができるものが提案されている（例えば、特許文献２参照）。
【０００４】
これに対して、一眼レフタイプのデジタルカメラ（以下、デジタル一眼レフカメラ）は、通常、第１のミラー装置と第２のミラー装置とを備えるほか、シャッタ装置、測光装置、オートフォーカス装置、及び表示装置を備えている。
【０００５】
ここで、第１のミラー装置は、ファインダ観察時には撮影レンズで集光された撮影光束をピント板に反射して導き、それを光学ファインダにて被写体像を観察可能とし、撮影時には退避し撮影光束が撮像手段の方向に向かうのを阻害しない位置に移動可能に構成されている。第２のミラー装置は、ファインダ観察時には第１のミラー装置を透過した光束の一部を反射しオートフォーカス装置に導き、オートフォーカス装置にてピント位置の検出を可能とするとともに、撮影時には第１のミラー装置と共に撮影光束が撮像手段の方向に向かうのを阻害しない位置に移動可能に構成されている。シャッタ装置は、撮影時に撮像装置に到達する光束の撮影時間を制御し、測光装置は、ファインダ観察時に第１のミラー装置にてピント板に投影された光束を評価し露出値を測定する。オートフォーカス装置は、撮影前に第２のミラー装置にて導かれた撮影光束の一部を評価し、ピント検出を行い、表示装置は、操作者が撮影後の画像を視覚的に確認するために使用される。
【０００６】
【特許文献１】
特開平５−７２６０８号公報
【特許文献２】
特開平１１−３０８５０８号公報
【０００７】
【発明が解決しようとする課題】
しかしながら、上記従来のデジタル一眼レフカメラは、上述したような構成であるため、撮影前の被写体観察時にレンズを透過した光束が撮像手段に到達せず、一般のデジタルカメラのように撮影前に撮像手段によって撮像した連続画像を取り込むことが不可能であり、上記の特許文献１及び特許文献２の様に画像を取り込みつつ、リモートコントロール装置に画像を転送し、その画像をリモートコントロール装置側の表示装置に表示することは不可能であった。
【０００８】
本発明は上記従来の問題点に鑑み、従来型のデジタル一眼レフカメラにおいて、リモートコントロール装置と通信を行いながらの撮影時に、リモートコントロール装置上で画像確認のための表示を可能にすることを目的とする。
【０００９】
【課題を解決するための手段】
上記目的を達成するために、撮影光束をファインダ方向に反射させると共に、撮影時には撮影光束より退避するミラー手段と、撮影時に撮影光束が到達する撮像手段の露光時間を制御するシャッタ手段とを備えた撮像装置において、画像転送指示時に、前記ミラー手段を撮影光束から退避すると共に、前記シャッタ手段を開放させて撮影光束を前記撮像手段に導き、該撮像手段に結像された被写体像を連続的に取り込む手段と、前記連続的に取り込んだ画像を外部のコントロール装置に転送する手段とを備えたことを特徴とする。
【００１０】
【発明の実施の形態】
以下、本発明の実施の形態を図面に基づいて説明する。
［第１実施形態］
＜第１実施形態のシステム構成＞
図１は、本発明の第１実施形態に係る撮像装置であるデジタル一眼レフカメラのリモートシステムの構成を示すブロック図であり、図２は、図１に示したカメラの構造を示す断面図である。
【００１１】
図中１はデジタルカメラの本体、２は半透過ミラーで形成され撮影レンズの光束をピント板９の方向に反射すると共に透過もする第１のミラー装置で、撮影時には撮影光束から退避するように回動支持されている。３は第１のミラー装置２を透過した撮影光束をオートフォーカス（ＡＦ）装置４の方向に反射する第２のミラー装置３で、第１のミラー装置２に回動支持され、撮影時には第１のミラー装置２とともに撮影光束から退避する。
【００１２】
４は第２のミラー装置３により導かれた光束を評価して焦点の状態を判定するオートフォーカス（ＡＦ）装置、５は撮影時の露光時間を制御するシャッタ装置であり、先幕装置５ａと後幕装置５ｂを有する。６は複屈折の光学部材からなるローパスフィルタ装置、７は撮影光束を撮り込んで光電変換する撮像手段であり、撮像素子７ａと、カバーガラス７ｂと、電気的なリード７ｃとを有する。
【００１３】
８は撮像手段７のリード７ｃを半田等で固定し電気的に信号を伝達する基板装置、９は第１のミラー装置２で反射された撮影光束を観察するためのピント板、１０はピント板９に投影された撮影像をファインダ方向に正立像として導くペンタプリズムである。
【００１４】
１１、１２はペンタプリズム１０で導かれたピント板９に結像されたファインダ像を撮影者に視認可能とするためのファインダ光学装置、１３はＡＥセンサ１４に集光するＡＥレンズ、１４はＡＥセンサであり、ピント板９に結像されたファインダ像の一部をＡＥレンズ１３を通して集光して撮影時の露光量の算出を行う。１５はレンズ装置１６を着脱可能に固定するマウント、１６は被写体像を集光する撮影レンズ装置である。
【００１５】
２１はリモートコントロール装置であり、デジタルカメラ１と電気的に接続され、カメラ１の撮影を遠隔地から指示する装置である。本実施形態では、リモートコントロール装置２１とカメラ１の接続はコード２５により電気的に行われているが、無線等の通信による接続でも同等である。
【００１６】
２２はリモートコントロール装置２１に配置された画像表示等に使用する表示装置、２３はリモートコントロール装置２１のレリーズ装置であり、レリーズ装置２３の状態によりカメラ１に撮影の指示がなされる。２４はリモートコントロール装置２１に配置され、カメラ１に現在の被写体像の転送を指示する画像転送指示装置である。
【００１７】
４１は画像処理部、４２は画像メモリ、４３はレリーズ装置、４４は撮像素子７や画像処理部４１のタイミングを制御するタイミング制御部、４５はミラー駆動部、４６はシャッタ制御部、４７はカメラ制御部である。
【００１８】
４８は外部メモリ装置、４９はリモコン装置用Ｉ／Ｆ部、５１はリモートコントロール装置２１のカメラ用Ｉ／Ｆ部、５２はリモートコントロール装置２１のリモコン制御部、５６はリモートコントロール装置２１の画像メモリ装置である。
【００１９】
＜第１実施形態の動作＞
以上のように構成される本実施形態に係るデジタル一眼レフカメラのリモートシステムの動作について、図３のフローチャートを用いて説明する。なお、この図３のフローチャートに従ったプログラムを例えばカメラ制御部４７内の記憶装置に格納し動作することにより、以下の制御方法を実現させることが可能となる。
【００２０】
カメラ１の電源を投入すると、ステップＳ１にてカメラ１とリモートコントロール装置２１が通信状態にあるかどうかを、リモコン装置用Ｉ／Ｆ４９とカメラ用Ｉ／Ｆ５１との接続状態をカメラ制御部４７が確認することで判断する。
【００２１】
カメラ１とリモートコントロール装置２１とが通信状態にないときには、カメラ１は通常のシーケンスとなり、ステップＳ１４に移行する。ステップＳ１４では、レリーズ装置４３のスイッチＳＷ１がオンしているかどうかを判定し、スイッチＳＷ１のオンが指示されるのを待つ。
【００２２】
ステップＳ１４でレリーズ装置４３のスイッチＳＷ１がオンされると、カメラ１は自動露出動作（以下ＡＥ動作と記す）、オートフォーカス動作（以下ＡＦ動作と記す）へと移行する（ステップＳ１５）。このときカメラ１は図２に示す状態であり、撮影レンズ装置１６で集光された光束は、第１のミラー装置２を透過し、第２のミラー装置３で反射した成分がＡＦ装置４に導かれ、ＡＦ装置４では撮影レンズ装置１６での合焦状態を判定し、レンズを合焦へ向けて動かす様に指示を出し、合焦状態が確認されたら、ＡＦ動作は終了する。またこのとき、被写体が動体であるときには動体予測制御を行う。このように、本実施形態のデジタル一眼レフカメラ１においては、専用のＡＦ装置４にて、従来の一眼レフタイプのデジタルカメラと同様の制御ができるのであり、大デフォーカス時や、動体を撮影するときでも、素早く正確なＡＦ制御が可能である。
【００２３】
このとき、第１のミラー装置２で反射された光束はピント板９に集光され、ＡＥセンサ１４へもピント板９に集光された光が導かれ、被写体の光量を測定し、ＡＥ動作を終了する。このようにＡＥ動作においても、本実施形態のデジタル一眼レフカメラ１は従来と同等のＡＥ制御が可能になっている。
【００２４】
以上のＡＦ動作及びＡＥ動作が終了したら、カメラ１はレリーズ装置４３のスイッチＳＷ２がオンにされるのを待つ（ステップＳ１６）。ステップＳ１６にて、スイッチＳＷ２がオンされたら、カメラ１はレリーズ動作に入り、まずレンズ装置１６内の図示しない絞り装置を所定の位置へ移動し、また、第１のミラー装置２と第２のミラー装置３を撮影光束から退避させる。
【００２５】
第１のミラー装置２と第２のミラー装置３の撮影光束からの退避が終了したら、撮像を開始し（ステップＳ１８）、撮像手段７はいつでも撮像できるよう準備を完了する。
【００２６】
次に、シャッタ制御部４６からの指示により、シャッタ装置５は先幕装置６を走行させ、撮影レンズ装置１６で結像した光束の撮像手段７への露光を開始し、前記ステップＳ１５にて決定されたＡＥの制御値に基づき所定のタイミングで後幕装置５ｂを走行させて露光時間を終了する。シャッタ装置５の走行が終了すると、撮像手段７の撮像は終了する（ステップＳ２０）。
【００２７】
撮像が終了したら、カメラ１は撮像手段７が上記露光量に基づき光電変換した画像信号を読み出す（ステップＳ２１）。読み出された画像信号は、画像処理部４１で画像処理がなされ（ステップＳ２２）、画像処理された信号は画像メモリ４２に一旦蓄えられ、カメラ制御部４７の指示で最終的には外部メモリ装置４８に記録される（ステップＳ２３）。
【００２８】
上述した通りステップＳ１４からステップＳ２３は、通常のデジタル一眼レフと同様なシーケンスであり、通常はこの様に撮影が行われる。
【００２９】
次に、リモートコントロール装置２１がカメラ１の制御を行う場合のシーケンス（ステップＳ２〜ステップＳ１３）について説明する。
【００３０】
ステップＳ１でリモート撮影が選択されていたら、次に画像転送指示装置２４を押して、撮影者がリモートコントロール装置２１への画像転送を指示したかどうかを判定する（ステップＳ２）。ステップＳ２にて画像転送が指示されたら、カメラ１は通常撮影シーケンスと同様にＡＦ装置４とＡＥ装置１４にてＡＦ動作とＡＥ動作を行う（ステップＳ３）。ＡＦ動作とＡＥ動作が終了したら、レンズ装置１６の図示しない絞り装置を絞り込む（ステップＳ４）。
【００３１】
絞り込み動作が終了したら、カメラ制御部４７は、ミラー駆動部４５に指示し第１と第２のミラー装置２，３を撮影光束から退避した位置に移動させ（図４参照）、シャッタ装置５の先幕装置５ａを走行してアパーチャを開口し、その結果、撮影レンズ装置１６で集光された光が撮像手段７に到達する（ステップＳ５）。
【００３２】
撮像手段７に被写体光が到達したら、カメラ制御部４７からの指示で撮像手段７は被写体像を連続的に撮り込み始める（ステップＳ６）。連続的に取り込まれた被写体画像は次々と画像処理部４１にて画像処理がなされ、連続的に画像メモリ４２に一時保管される。そしてリモコン用Ｉ／Ｆ４９を通してカメラ用Ｉ／Ｆ５１へ画像信号を送り込み、カメラ１に接続されたリモートコントロール装置２１へは連続的に画像が転送される（ステップＳ７）。
【００３３】
リモートコントロール装置２１に転送された連続的な被写体像は、リモコン制御部５２の制御で一時的に画像メモリ装置５６にストックされ、次々と連続的に表示装置２２に表示がなされる（ステップＳ８）。図４は、この時のリモートシステムの状態を示している。このようにして、撮影者は、遠隔地に居ても前述の通りリモートコントロール装置２１の表示装置２２に映し出された画像を確認しながら、撮影のタイミングを決定することができる。
【００３４】
ここで、撮影者がリモートコントロール装置２１のレリーズ装置２３を動作させると（ステップＳ９）、リモートコントロール装置２１のリモコン制御部５２は、カメラ用Ｉ／Ｆ５１を通してリモコン用Ｉ／Ｆ４９へレリーズの指示信号を発信し、その信号はカメラ制御部４７に入力され、カメラ制御部４７はカメラ１に対してレリーズを指示し、カメラ１は撮影を行う（ステップＳ１０）。
【００３５】
カメラ１が撮影を行ったら、撮像手段７からは画像信号が読み出され（ステップＳ１１）、読み出された画像信号は画像処理部４１にて画像処理がなされる（ステップＳ１２）。画像処理がなされた撮影画像は、画像メモリ４２に一旦蓄えられ、次に外部メモリ装置４８へと記録され（ステップＳ１３）、一連の撮影動作が終了する。
【００３６】
また、ステップＳ２にて画像転送が指示されず、従来のリモコン装置と同様に画像表示を行わずにレリーズ指示をすると、ステップＳ９からの処理を行う。
【００３７】
以上のように、第１実施形態においては、ミラーやフォーカルプレーンシャッタを有する従来型のデジタル一眼レフカメラにおいて、画像表示装置２２を備えたリモートコントロール装置２１と接続を可能にし、リモートコントロール装置２１からリアルタイムな画像転送が指示されたら、ミラー装置２，３を撮影光束から退避するとともに、シャッタ装置５を開放させ、撮影レンズ１６で集光される撮影光束を撮像手段７に導くとともに、撮像手段７に結像された被写体像を撮像手段７で連続的に取り込み、取り込んだ画像を画像処理した後、リモートコントロール装置２１に画像を連続的に転送し、リモートコントロール装置２１の画像表示装置２２に連続的に被写体像を表示するようにしたので、カメラ１から離れて遠隔操作にて撮影を行うような場合でも、撮影者は表示装置２２に表示された被写体象を観察しながら、撮影するタイミングを決定することが可能となり、撮影者の撮影したいタイミングが、カメラ１から離れた状態でも確実に捉えることが可能となる。
【００３８】
このように、ミラーやフォーカルプレーンシャッタを備えた従来型のデジタル一眼レフカメラにおいても、現在のリアルタイムな被写体像をリモートコントロール装置に転送し、画像を表示することが可能となる。
【００３９】
［第２実施形態］
＜第２実施形態のシステム構成＞
図５は、本発明の第２実施形態に係る撮像手段であるデジタル一眼レフカメラのリモートシステムの構成を示すブロック図であり、図６は、第２実施形態に係るデジタル一眼レフカメラの画像転送時の状態を示す図であり、上記第１実施形態と共通の要素には同一の符号を付し、その説明を省略する。
【００４０】
本実施形態の構成は、リモートコントロール装置として、パーソナルコンピュータまたはＰＤＡ等の端末装置３１を用いたことが、上記第１実施形態の構成と異なる点である。
【００４１】
図中の３２は端末装置３１のマウス装置、３３は端末装置３１の表示装置（モニタ）、３４は表示装置３３の画面上に表示されるレリーズマーク、３５は表示装置３３の画面上に表示される画像転送指示マーク、３６は表示装置３３の画面上に表示されるカーソル、６１は端末装置３１のＩ／Ｆ部、６２は端末装置３１のＣＰＵ、６３は端末装置３１のメモリ装置である。
【００４２】
＜第２実施形態の動作＞
以上のように構成される本実施形態に係るデジタル一眼レフカメラのリモートシステムの動作について、再び図３のフローチャートを用いて説明する。
【００４３】
カメラ１の電源を投入すると、ステップＳ１にてカメラ１と端末装置３１が通信状態にあるかどうかを、リモコン装置用Ｉ／Ｆ４９と端末装置のＩ／Ｆ６１との接続状態をカメラ制御部４７が確認することで判断する。
【００４４】
カメラ１と端末装置３１とが通信状態にないときには、カメラ１は通常のシーケンスとなり、ステップＳ１４に移行する。ステップＳ１４からステップＳ２３は、上記第１実施形態と同様に、通常のデジタル一眼レフと同様なシーケンスで撮影が行われる。
【００４５】
続いて、端末装置３１がカメラ１の制御を行う場合のシーケンスについて説明すると、ステップＳ１でリモート撮影が選択されていたら、次に表示装置３３の画面上に表示される画像転送指示マーク３５の位置にカーソル３６を合わせ、マウス装置３２をクリックすることで、撮影者が端末装置３１への画像転送を指示したかどうかを判定する（ステップＳ２）。ステップＳ２にて画像転送が指示されたら、カメラ１は通常撮影シーケンスと同様にＡＦ装置４とＡＥ装置１４にてＡＦ動作とＡＥ動作を行う（ステップＳ３）。
【００４６】
その後、第１実施形態と同様に、ステップＳ４からステップＳ７の処理がなされ、端末装置３１に転送された連続的な被写体像は、ＣＰＵ６２の制御で一時的にメモリ装置６３にストックされ、次々と連続的に表示装置３３に表示がなされる（ステップＳ８）。これによって、撮影者は、遠隔地に居ても端末装置３１の表示装置３３に映し出された画像を確認しながら撮影のタイミングを決定することができる。
【００４７】
ここで、撮影者が端末装置の表示装置３３の画面上に表示されるレリーズマーク３４にカーソル３６を移動させ（図６参照）、マウス装置３２をクリックすることでレリーズ信号を発生させると（ステップＳ９）、端末装置３１のＣＰＵ６２はＩ／Ｆ６１を通しリモコン用Ｉ／Ｆ４９へレリーズの指示信号を発信し、その信号はカメラ制御部４７に入力されカメラ１に対しレリーズを指示し、カメラ１は撮影を行う（ステップＳ１０）。
【００４８】
カメラ１は撮影を行ったら、ステップＳ１１及びステップＳ１２の処理を行い、画像処理がなされた撮影画像は画像メモリ４２に一旦蓄えられ、次に外部メモリ装置４８へと記録され（ステップＳ１３）、一連の撮影動作が終了する。
【００４９】
このように第２実施形態においても、上記第１実施形態と同様の効果を得ることができる。
【００５０】
［第３実施形態］
第３実施形態では、撮影者が遠隔地に居てもリモートコントロール装置２１の表示装置２２に映し出されたピントと露出の正確な画像を確認しながら、撮影のタイミングを決定することができるようにしたものである。
【００５１】
本実施形態のハード構成は、図１及び図２に示した第１実施形態と同様である。
【００５２】
図７は、本発明の第３実施形態に係るデジタル一眼レフカメラのリモートシステムの動作を示すフローチャートであり、図３と共通の処理には同一の符号を付し、その説明を省略する。なお、この図７のフローチャートに従ったプログラムを例えばカメラ制御部４７内の記憶装置に格納し動作することにより、以下の制御方法を実現させることが可能となる。
【００５３】
カメラ１の電源を投入すると、ステップＳ１にてカメラ１とリモートコントロール装置２１が通信状態にあるかどうかを、リモコン装置用Ｉ／Ｆ４９とリモートコントロール装置２１のカメラＩ／Ｆ５１との接続状態をカメラ制御部４７が確認することで判断する。カメラ１とリモートコントロール装置２１との通信状態にないときには、カメラ１は通常のシーケンスとなり、ステップＳ１４に移行する。ステップＳ１４からステップＳ２３は、上記第１実施形態と同様に、通常のデジタル一眼レフと同様なシーケンスで撮影が行われる。
【００５４】
ステップＳ１でリモート撮影が選択されて実行されるシーケンス、つまりリモートコントロール装置２１がカメラ１の制御を行う場合のシーケンスでは、上記第１実施形態と同様に、まずステップＳ２〜ステップＳ７の処理を行い、その後のステップＳ８において、リモートコントロール装置２１に転送された連続的な被写体像が、リモコン制御部５２の制御で一時的に画像メモリ装置５６にストックされ、次々と連続的に表示装置２２に表示がなされる。
【００５５】
この時、図４に示す通り、第１と第２のミラー装置２，３が撮影光束から退避した位置に移動してＡＦ装置４とＡＥ装置１４には被写体の光束が入らなくなっているので、ＡＦ動作及びＡＥ動作は共に、撮像手段７で取り込んだ画像を評価することで行う（ステップＳ３０）。このように本実施形態では、撮像手段７をＡＦ動作とＡＥ動作のために使用するので、ＡＦ装置４とＡＥ装置１４にてＡＦ動作とＡＥ動作が不可能な状態でも、正確なＡＦ動作とＡＥ動作が可能になり、リモートコントロール装置２１の表示装置２２に表示される現在の被写体像を、正確なピントと露出で表示することが可能になる。
【００５６】
その後は、ステップＳ９〜ステップＳ１３において、第１実施形態と同様の処理を行う。
【００５７】
［第４実施形態］
本実施形態では、リモートコントロール装置として、パーソナルコンピュータまたはＰＤＡ等の端末装置３１を用いた第２実施形態の構成において、撮影者が遠隔地に居ても、端末装置３１の表示装置３２に映し出されたピントと露出の正確な画像を確認しながら、撮影のタイミングを決定することができるようにしたものである。
【００５８】
本実施形態に係るデジタル一眼レフカメラのリモートシステムの動作について、再び図７のフローチャートを用いて説明する。
【００５９】
カメラ１の電源を投入すると、ステップＳ１にてカメラ１と端末装置３１が通信状態にあるかどうかを、リモコン装置用Ｉ／Ｆ４９と端末装置のＩ／Ｆ６１との接続状態をカメラ制御部４７が確認することで判断する。
【００６０】
カメラ１と端末装置３１との通信状態にないときには、カメラ１は通常のシーケンスとなり、ステップＳ１４に移行する。ステップＳ１４からステップＳ２３は、上記第１実施形態と同様に、通常のデジタル一眼レフと同様なシーケンスで撮影が行われる。
【００６１】
ステップＳ１でリモート撮影が選択されて実行されるシーケンス、つまり端末装置３１がカメラ１の制御を行う場合のシーケンスでは、上記第１実施形態と同様に、ステップＳ２〜ステップＳ７の処理を行い、ステップＳ８において、端末装置３１に転送された連続的な被写体像は、ＣＰＵ６２の制御で一時的にメモリ装置６３にストックされ、次々と連続的に表示装置３３に表示がなされる。
【００６２】
この時、図６に示す通り、第１と第２のミラー装置２，３が撮影光束から退避した位置に移動してＡＦ装置４とＡＥ装置１４には被写体の光束が入らなくなっているので、ＡＦ及びＡＥ動作は共に、撮像手段７で取り込んだ画像を評価することで行う（ステップＳ３０）。このように本実施形態では、撮像手段７をＡＦ動作とＡＥ動作のために使用するので、ＡＦ装置４とＡＥ装置１４にてＡＦ動作とＡＥ動作が不可能な状態でも、正確なＡＦ動作とＡＥ動作が可能になり、端末装置３１の表示装置３２に表示される現在の被写体像を、正確なピントと露出で表示することが可能になる。
【００６３】
その後は、ステップＳ９〜ステップＳ１３において、第１実施形態と同様の処理を行う。
【００６４】
なお、上記各実施形態では、カメラ１とリモートコントロール装置２１または端末装置３１をコードで接続した構成であるが、コードレスによる通信でも全く同じ効果があるのは言うまでもない。
【００６５】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００６６】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００６８】
［実施態様］
本発明の実施態様の例を以下に列挙する。
【００６９】
＜実施態様１＞
撮影光束をファインダ方向に反射させると共に、撮影時には撮影光束より退避するミラー手段と、撮影時に撮影光束が到達する撮像手段の露光時間を制御するシャッタ手段とを備えた撮像装置において、画像転送指示時に、前記ミラー手段を撮影光束から退避すると共に、前記シャッタ手段を開放させて撮影光束を前記撮像手段に導き、該撮像手段に結像された被写体像を連続的に取り込む手段と、前記連続的に取り込んだ画像を外部のコントロール装置に転送する手段とを備えたことを特徴とする撮像装置。
【００７０】
＜実施態様２＞
前記画像転送指示時には、前記撮像手段によって自動焦点動作及び自動露出動作を行うことを特徴とする実施態様１に記載の撮像装置。
【００７１】
＜実施態様３＞
撮影光束をファインダ方向に反射させると共に、撮影時には撮影光束より退避するミラー手段と、撮影時に撮影光束が到達する撮像手段の露光時間を制御するシャッタ手段とを有する撮像装置と、前記撮像装置のリモートコントロールが可能なリモートコントロール装置とを備えた撮像装置のリモートシステムにおいて、前記リモートコントロール装置は、画像を表示するための表示手段と、前記表示手段への被写体像の表示を指示する画像表示指示手段とを有し、前記撮像装置は、前記画像表示指示手段によって被写体像の表示が指示されたときに、前記ミラー手段を撮影光束から退避すると共に、前記シャッタ手段を開放させて撮影光束を撮像手段に導くとともに、前記撮像手段に結像された被写体像を連続的に取り込む手段と、前記連続的に取り込んだ画像を前記リモートコントロール装置に転送する手段とを有し、前記リモートコントロール装置は、前記撮像装置から転送された画像を前記表示手段に順次表示することを特徴とする撮像装置のリモートシステム。
【００７２】
＜実施態様４＞
前記被写体像の表示が指示されたときは、前記撮像手段によって自動焦点動作及び自動露出動作を行うことを特徴とする実施態様３に記載の撮像装置のリモートシステム。
【００７３】
＜実施態様５＞
前記リモートコントロール装置は、コンピュータ装置であることを特徴とする実施態様３または４に記載の撮像装置のリモートシステム。
【００７４】
＜実施態様６＞
撮影光束をファインダ方向に反射させると共に、撮影時には撮影光束より退避するミラー手段と、撮影時に撮影光束が到達する撮像手段の露光時間を制御するシャッタ手段とを備えた撮像装置の制御方法において、画像転送指示時に、前記ミラー手段を撮影光束から退避すると共に、前記シャッタ手段を開放させて撮影光束を前記撮像手段に導き、該撮像手段に結像された被写体像を連続的に取り込む工程と、前記連続的に取り込んだ画像を外部のコントロール装置に転送する工程とを備えたことを特徴とする撮像装置の制御方法。
【００７５】
＜実施態様７＞
撮影光束をファインダ方向に反射させると共に、撮影時には撮影光束より退避するミラー手段と、撮影時に撮影光束が到達する撮像手段の露光時間を制御するシャッタ手段とを有する撮像装置と、前記撮像装置のリモートコントロールが可能なリモートコントロール装置とを備えたリモートシステムのリモートコントロール方法において、前記リモートコントロール装置に、画像を表示するための表示手段と、前記表示手段への被写体像の表示を指示する画像表示指示手段とを設けておき、前記画像表示指示手段によって被写体像の表示が指示されたときに、前記ミラー手段を撮影光束から退避すると共に、前記シャッタ手段を開放させて撮影光束を撮像手段に導くとともに、前記撮像手段に結像された被写体像を連続的に取り込む工程と、前記連続的に取り込んだ画像を前記リモートコントロール装置に転送する工程とを実行し、前記撮像装置から転送された画像を前記リモートコントロール装置の前記表示手段に順次表示することを特徴とするリモートシステムのリモートコントロール方法。
【００７６】
＜実施態様８＞
前記リモートコントロール装置は、コンピュータ装置であることを特徴とする実施態様７に記載のリモートコントロール方法。
【００７７】
＜実施態様９＞
撮影光束をファインダ方向に反射させると共に、撮影時には撮影光束より退避するミラー手段と、撮影時に撮影光束が到達する撮像手段の露光時間を制御するシャッタ手段とを備えた撮像装置の制御方法を実行するために、コンピュータで読み取り可能な制御プログラムであって、画像転送指示時に、前記ミラー手段を撮影光束から退避すると共に、前記シャッタ手段を開放させて撮影光束を前記撮像手段に導き、該撮像手段に結像された被写体像を連続的に取り込むステップと、前記連続的に取り込んだ画像を外部のコントロール装置に転送するステップとを備えたことを特徴とする制御プログラム。
【００７８】
【発明の効果】
以上詳細に説明したように本発明によれば、従来型のデジタル一眼レフカメラにおいても、外部のコントロール装置と通信を行いながらの撮影時に、コントロール装置上で現在の被写体像の表示が可能になる。
【図面の簡単な説明】
【図１】本発明の第１実施形態に係る撮像装置であるデジタル一眼レフカメラのリモートシステムの構成を示すブロック図である。
【図２】図１に示したカメラの構造を示す断面図である。
【図３】第１実施形態の動作を示すフローチャートである。
【図４】画像転送時のリモートシステムの状態を示す図である。
【図５】本発明の第２実施形態に係る撮像手段であるデジタル一眼レフカメラ１のリモートシステムの構成を示すブロック図である。
【図６】第２実施形態に係るデジタル一眼レフカメラの画像転送時の状態を示す図である。
【図７】本発明の第３実施形態に係るデジタル一眼レフカメラのリモートシステムの動作を示すフローチャートである。
【符号の説明】
１  デジタル一眼レフカメラの本体
２  第１のミラー装置
３  第２のミラー装置
４  オートフォーカス装置
５  シャッタ装置
７  撮像手段
９  ピント板
１０  ペンタプリズム
１１、１２  ファインダ光学装置
１３  ＡＥレンズ
１４  ＡＥセンサ
１６  撮影レンズ装置
２１  リモートコントロール装置
２２  表示装置
２３  レリーズ装置
２４  画像転送指示装置
２５  コード
４１  画像処理部
４２  画像メモリ
４３  レリーズ装置
４４  タイミング制御部
４５  ミラー駆動部
４６  シャッタ制御部
４７  カメラ制御部
４８  外部メモリ装置
４９  リモコン装置用Ｉ／Ｆ部
５１  カメラ用Ｉ／Ｆ部
５２  リモコン制御部
５６  画像メモリ装置
３１  端末装置
３２  マウス装置
３３  表示装置
３４  レリーズマーク
３５  画像転送指示マーク
３６  カーソル
６１  Ｉ／Ｆ部
６２  ＣＰＵ
６３  メモリ装置
【図１】
2004194256.tif 000003
【図２】
2004194256.tif 000004
【図３】
2004194256.tif 000005
【図４】
2004194256.tif 000006
【図５】
2004194256.tif 000007
【図６】
2004194256.tif 000008
【図７】
2004194256.tif 000009